(57)【要約】【課題】  操作時にがたつきを感じることがないシーソースイッチを提供する。【解決手段】  所定の形状の押下部３０、及びこの押下部の幅方向の端面２８ａから突出する回動軸３２を有する操作部材２８と、押下部の形状に対応して開口する取付け孔３４、及び押下部の一部がこの取付け孔の一方から入り込んで他方に露出する状態で回動軸を軸支する溝部３６が形成された第１の軸支部材２６と、溝部を覆うように第１の軸支部材に固定される弾性材質の第２の軸支部材３８とを備え、回動軸は、その突出方向に直角の断面の外形の一部が直線となるように形成され、溝部は、その長さ方向の一方の端部が取付け孔の縁に開放され、長さ方向に直角の断面が前記回動軸の断面における直線の部分以外の外形に対応して形成され、第２の軸支部材は、回動軸の断面における直線の部分に当接するようにした。【選択図】      図１
2005284092.tif 000002
【特許請求の範囲】
【請求項１】
所定の形状の押下部、及びこの押下部の幅方向の端面から突出する回動軸を有する操作部材と、
前記押下部の形状に対応して開口する取付け孔、及び押下部の一部がこの取付け孔の一方から入り込んで他方に露出する状態で前記回動軸を軸支する溝部が形成された第１の軸支部材と、
前記溝部を覆うように前記第１の軸支部材に固定される弾性材質の第２の軸支部材とを備え、
前記回動軸は、その突出方向に直角の断面の外形の一部が直線となるように形成され、
前記溝部は、その長さ方向の一方の端部が取付け孔の縁に開放され、長さ方向に直角の断面が前記回動軸の断面における前記直線の部分以外の外形に対応して形成され、
前記第２の軸支部材は、前記回動軸の断面における前記直線の部分に当接することを特徴とするシーソースイッチ。
【請求項２】
所定の形状の押下部、及びこの押下部の幅方向の端面から突出する回動軸を有する操作部材と、
前記押下部の形状に対応して開口する取付け孔が形成された第１の軸支部材と、
前記回動軸を軸支する溝部が形成される弾性材質の第２の軸支部材とを備え、
前記回動軸は、その突出方向に直角の断面の外形の一部が直線となるように形成され、
前記第２の軸支部材は、前記溝部がその長さ方向に直角の断面が前記回動軸の断面における前記直線の部分以外の外形に対応して形成され、この溝部に回動軸を軸支した状態で前記押下部の一部が前記取付け孔の一方から入り込んで他方に露出するように前記第１の軸支部材に固定され
前記第１の軸支部材は、前記回動軸の断面における前記直線の部分に当接することを特徴とするシーソースイッチ。
【請求項３】
前記第２の軸支部材が、前記操作部材及び前記第１の軸支部材以外の他の部材と一体的に形成されていることを特徴とする請求項１又は請求項２に記載のシーソースイッチ。
【請求項４】
所定の形状の押下部、及びこの押下部の幅方向の端面から突出する回動軸を有する操作部材と、
前記押下部の形状に対応して開口する取付け孔、及び前記回動軸を軸支する溝部が形成された軸支部材と、
前記溝部を覆うように前記軸支部材に固定される弾性材質の第２の軸支部材とを備え、
前記回動軸は、その突出方向に直角の断面の外形の一部が直線となるように形成され、
前記溝部は、その長さ方向の一方の端部が取付け孔の縁に開放され、長さ方向に直角の断面が前記回動軸の断面における前記直線の部分以外の外形に対応して形成され、
前記第２の軸支部材が、前記回動軸の断面における前記直線の部分に当接するシーソースイッチが設けられていることを特徴とする撮像装置。
【請求項５】
所定の形状の押下部、及びこの押下部の幅方向の端面から突出する回動軸を有する操作部材と、
前記押下部の形状に対応して開口する取付け孔が形成された第１の軸支部材と、
前記回動軸を軸支する溝部が形成される弾性材質の第２の軸支部材とを備え、
前記回動軸は、その突出方向に直角の断面の外形の一部が直線となるように形成され、
前記第２の軸支部材は、前記溝部がその長さ方向に直角の断面が前記回動軸の断面における前記直線の部分以外の外形に対応して形成され、この溝部に回動軸を軸支した状態で前記押下部の一部が前記取付け孔の一方から入り込んで他方に露出するように前記第１の軸支部材に固定され、
前記第１の軸支部材が、前記回動軸の断面における前記直線の部分に当接するシーソースイッチが設けられていることを特徴とする撮像装置。
【発明の詳細な説明】
【技術分野】
【０００１】
本発明は、シーソースイッチ及び撮像装置に関するものであって、詳しくは操作部材の長さ方向のいずれかの端部を手の指等で押し込む操作を行なった後に、この指等を離すと、この操作部材が中立状態に復帰するシーソースイッチ、及びこのようなシーソースイッチが設けられている撮像装置に関するものである。
【背景技術】
【０００２】
図６は、従来のシーソースイッチ２の構造を示す図である（特許文献１参照）。同図に示すように、操作部材４には、その天板６の裏面における長さ方向の略中央の位置に板状ヒンジ８及びフック１０が垂直に形成されていた。そして、フック１０の先端には鉤部１０ａが形成されていた。
【０００３】
また、操作パネル１２には、板状ヒンジ８に対応する２枚のリブ１４と、フック１０のそれぞれに対応する係止孔１６が設けられて、図７に示すように、板状ヒンジ８が２枚のリブ１４の間に挿し込まれ、また、フック１０の先端が係止孔１６に入り込んで、その鉤部１０ａが係止孔１６の段付き部１６ａに引っ掛かることにより、抜けないようになっていた。
【０００４】
図６に示すように、このシーソースイッチ２は、天板６の長さ方向のいずれかの端部を指先で押し込むと、板状ヒンジ８の付け根が弾性変形を生じて、天板６は板状ヒンジ８の付け根を中心に回動するようになっていた。
【０００５】
また、操作パネル１２には、天板６の長さ方向における両方の端部のそれぞれの位置に対応して、不図示の接触スイッチが設けられており、この不図示の接触スイッチは、天板６の端部が押し込まれて接触すると電気的に導通するようになっていた。そして、天板６から指が離れると、この天板６は、板状ヒンジ８の弾性力により元の中立状態に戻るので、不図示の接触スイッチから離れ、電気的な導通が解除されるようになっていた。
【０００６】
操作部材４のフック１０は、その長さが製造誤差等により短く形成されると、係止孔１６に挿し込んだときに、鉤部１０ａが係止孔１６の段付き部１６ａまで届かずに引っ掛からなくなるため、製造誤差等を見込んで若干長く形成しておく必要があった。
【特許文献１】特開平８−１０２２３２号公報
【発明の開示】
【発明が解決しようとする課題】
【０００７】
しかしながら、前記特許文献１のシーソースイッチ２は製造誤差等を見込んで予めフック１０を若干長く形成する必要があることにより、鉤部１０ａと係止孔１６の段付き部１６ａとの間に隙間を有するようになるため、他のシーソースイッチと同様に、このシーソースイッチ２の操作時にがたつきを感じるという問題があった。
【０００８】
そこで本発明は、上記問題点に鑑みて、操作時にがたつきを感じることがないシーソースイッチ、及びこのようなシーソースイッチを用いた撮像装置を提供することを課題とするものである。
【課題を解決するための手段】
【０００９】
上記課題を解決するために、本発明によるシーソースイッチは、
所定の形状の押下部、及びこの押下部の幅方向の端面から突出する回動軸を有する操作部材と、
前記押下部の形状に対応して開口する取付け孔、及び押下部の一部がこの取付け孔の一方から入り込んで他方に露出する状態で前記回動軸を軸支する溝部が形成された第１の軸支部材と、
前記溝部を覆うように前記第１の軸支部材に固定される弾性材質の第２の軸支部材とを備え、
前記回動軸は、その突出方向に直角の断面の外形の一部が直線となるように形成され、
前記溝部は、その長さ方向の一方の端部が取付け孔の縁に開放され、長さ方向に直角の断面が前記回動軸の断面における前記直線の部分以外の外形に対応して形成され、
前記第２の軸支部材は、前記回動軸の断面における前記直線の部分に当接することを特徴とするものである。
【００１０】
また、上記課題を解決するために、本発明によるシーソースイッチは、
所定の形状の押下部、及びこの押下部の幅方向の端面から突出する回動軸を有する操作部材と、
前記押下部の形状に対応して開口する取付け孔が形成された第１の軸支部材と、
前記回動軸を軸支する溝部が形成される弾性材質の第２の軸支部材とを備え、
前記回動軸は、その突出方向に直角の断面の外形の一部が直線となるように形成され、
前記第２の軸支部材は、前記溝部がその長さ方向に直角の断面が前記回動軸の断面における前記直線の部分以外の外形に対応して形成され、この溝部に回動軸を軸支した状態で前記押下部の一部が前記取付け孔の一方から入り込んで他方に露出するように前記第１の軸支部材に固定され
前記第１の軸支部材は、前記回動軸の断面における前記直線の部分に当接することを特徴とするものである。
【００１１】
また、本発明によるシーソースイッチは、前記第２の軸支部材が、前記操作部材及び前記第１の軸支部材以外の他の部材と一体的に形成されていることを特徴とするものである。
【００１２】
また、上記課題を解決するために、本発明による撮像装置は、
所定の形状の押下部、及びこの押下部の幅方向の端面から突出する回動軸を有する操作部材と、
前記押下部の形状に対応して開口する取付け孔、及び前記回動軸を軸支する溝部が形成された軸支部材と、
前記溝部を覆うように前記軸支部材に固定される弾性材質の第２の軸支部材とを備え、
前記回動軸は、その突出方向に直角の断面の外形の一部が直線となるように形成され、
前記溝部は、その長さ方向の一方の端部が取付け孔の縁に開放され、長さ方向に直角の断面が前記回動軸の断面における前記直線の部分以外の外形に対応して形成され、
前記第２の軸支部材が、前記回動軸の断面における前記直線の部分に当接するシーソースイッチが設けられていることを特徴とするものである。
【００１３】
また、上記課題を解決するために、本発明による撮像装置は、
所定の形状の押下部、及びこの押下部の幅方向の端面から突出する回動軸を有する操作部材と、
前記押下部の形状に対応して開口する取付け孔が形成された第１の軸支部材と、
前記回動軸を軸支する溝部が形成される弾性材質の第２の軸支部材とを備え、
前記回動軸は、その突出方向に直角の断面の外形の一部が直線となるように形成され、
前記第２の軸支部材は、前記溝部がその長さ方向に直角の断面が前記回動軸の断面における前記直線の部分以外の外形に対応して形成され、この溝部に回動軸を軸支した状態で前記押下部の一部が前記取付け孔の一方から入り込んで他方に露出するように前記第１の軸支部材に固定され、
前記第１の軸支部材が、前記回動軸の断面における前記直線の部分に当接するシーソースイッチが設けられていることを特徴とするものである。
【発明の効果】
【００１４】
このような本発明のシーソースイッチ及び撮像装置によれば、操作時にがたつきを感じることがなく、操作性を向上することができる。
【発明を実施するための最良の形態】
【００１５】
以下、本発明に係るシーソースイッチ及び撮像装置の実施の形態について、図面に基づいて具体的に説明する。図１ないし図５は、本発明の一実施の形態に係るシーソースイッチ２０及び撮像装置２２について説明するために参照する図である。
【００１６】
本実施の形態に係る撮像装置２２は、図示しないＣＣＤ（Ｃｈａｒｇｅ  Ｃｏｕｐｌｅｄ  Ｄｅｖｉｃｅ）等の撮像素子を備えて、この撮像素子により取込んだ画像データを記憶しておくことができるようになっている。また、この撮像装置２２は、図示しない撮像系のレンズの位置を調節して望遠又は広角で撮影することができ、その調節をシーソースイッチ２０で行なうようになっている。
【００１７】
図１に示すように、本実施の形態に係る撮像装置２２の筐体２４は、一方の筐体片２６（第１の軸支部材）と、この筐体片２６に対応する不図示の筐体片等で構成される。シーソースイッチ２０は、この筐体片２６に、操作部材２８及び押さえ部材３８（第２の軸支部材）等が取付けられて構成されるようになっている。
【００１８】
図２に示すように、操作部材２８は、所定の形状の押下部３０を有しており、この押下部３０の長さ方向における略中央の位置であって幅方向の両端面２８ａのそれぞれから、幅方向に回動軸３２が突出している。この回動軸３２は、突出方向に直角の断面が押下部３０の長さ方向に略平行な直線を有する略半円形に形成されている。また、この押下部３０の長さ方向における両端部のそれぞれには、その厚さ方向に突出する突起２８ｂが形成されている。
【００１９】
図１に示すように、筐体片２６には、操作部材２８における押下部３０の長さ方向及び幅方向の形状に対応する取付け孔３４が形成されている。また、筐体片２６には、溝部３６が形成されており、この溝部３６は、その長さ方向の一方の端部が取付け孔３４の長さ方向における略中央の位置に開放されて、操作部材２８の回動軸３２に対応する略半円形の断面を有している。この溝部３６は、取付け孔３４の幅方向における両側の位置に形成されており、筐体片２６は操作部材２８の回動軸３２を軸支する軸支部材としての役割を兼ねるようになっている。
【００２０】
操作部材２８は、その回動軸３２が溝部３６に軸支されると、押下部３０がその厚さ方向に取付け孔３４に入り込み、図３に示すように、この押下部３０の一部だけが外側に露出するようになっている。
【００２１】
また、図１に示すように、押さえ部材３８は、樹脂やゴム等の弾性材質で形成されている。この押さえ部材３８は、その一部に板状の押さえ板３８ａが形成され、この押さえ板３８ａ以外の部分は、シーソースイッチ２０以外の他の押しボタン等の一部を構成するようになっており、押さえ板３８ａと押さえ板３８ａ以外の部分は一体的に形成されている。また、本実施の形態とは、異なる別の形態として、押さえ部材３８は、他の部品等を取付けるために用いられていてもよい。
【００２２】
また、筐体片２６には、押さえ板３８ａの厚さとほぼ同じ高さに突出する突出部４０が、取付け孔３４の長さ方向における両側の近傍の位置に形成されていて、それぞれの突出部４０には、その先端面に開口する雌ネジ４０ａが形成されている。
【００２３】
押さえ部材３８の押さえ板３８ａには、操作部材２８の突起２８ｂのそれぞれに対応する突起用孔４２と、筐体片２６の突出部４０のそれぞれに対応する固定用孔４４及び切欠き４６が形成されている。押さえ板３８ａは、固定用孔４４及び切欠き４６が突出部４０に嵌合すると共に、突出部４０の雌ネジ４０ａにネジ結合する雄ネジ４８の頭部と筐体片２６により、厚さ方向に挟まれて固定される。
【００２４】
図４に示すように、操作部材２８における突起２８ｂのそれぞれの先端は、押さえ板３８ａの突起用孔４２を貫通している。そして、それぞれの突起２８ｂの突出方向の近傍には、不図示の接触式スイッチが設けられており、操作部材２８は、その押下部３０の長さ方向における両端部のいずれかが押し込まれると、対応する方の突起２８ｂが、不図示の接触式スイッチに接触して電気的に導通し、不図示の撮像系のレンズの位置が移動して、望遠又は広角の調節が行なわれるようになっている。
【００２５】
また、図５に示すように、押さえ部材３８は、筐体片２６の溝部３６に軸支された操作部材２８の回動軸３２に対して、その断面における直線の部分に当接するようになっている。
【００２６】
図示しないが、操作部材２８の押下部３０の長さ方向における両端部のいずれかが、ユーザーにより手の指等で押し込まれると、回動軸３２は回動して、この回動軸３２の略半円形の断面における直線の部分の一方の端部が、押さえ板３８ａに押し付けられ、この押さえ板３８ａを湾曲させる。
【００２７】
湾曲した押さえ板３８ａは、弾性力により元の状態に戻ろうとするため、回動軸３２の断面における直線の部分の一方の端部を押し戻すように作用する。したがって、ユーザーが手の指等を操作部材２８の押下部３０から離すと、操作部材２８は元の中立位置に戻るようになっている。
【００２８】
また、操作部材２８の押下部３０の長さ方向における両端部のいずれかが、ユーザーにより手の指等で押し込まれると、回動軸３２が押さえ板３８ａを湾曲させるだけでなく、この回動軸３２にも若干の捩りが生じる。そのため、この回動軸３２に捩りを生じさせる荷重の反力によっても、操作部材２８は元の中立位置に戻るようになっている。
【００２９】
このような本実施の形態に係るシーソースイッチ２０及び撮像装置２２によれば、回動軸３２が、押さえ板３８ａにより、常に溝部３６に押し付けられるようになっているので、操作時にがたつきを感じることがないため、操作性を向上することができる。
【００３０】
また、押さえ部材３８は、押さえ板３８ａと、この押さえ板３８ａ以外の部分であって、シーソースイッチ２０以外の他の押しボタン等の一部を構成する部材と一体的に形成することができるので、製造費を低減することができる。
【００３１】
また、操作部材２８の回動軸３２は、その断面が略半円形になっているため、押下部３０の長さ方向における両端部のいずれかが手の指等で押し込まれるとき、または、この手の指等を離して操作部材２８が元の中立位置に戻るときには、回動軸３２の回動動作が滑らか（スムーズ）になる。
【００３２】
また、湾曲した押さえ板３８ａが、回動軸３２の断面における直線の部分の一方の端部を押し戻す作用により、操作部材２８が元の中立位置に戻るようになっているので、この操作部材２８を元の中立位置に戻すためにクッション材やスプリング等を新たに設ける必要がなく、簡単な構造にすることができる。
【００３３】
なお、本実施の形態においては、図５に示すように、筐体片２６に溝部３６を形成して、操作部材２８の回動軸３２を軸支するようになっていたが、溝部３６を筐体片２６に形成する代わりに、この溝部３６に相当する溝部を押さえ板３８ａに形成すると共に、操作部材２８の回動軸３２について、その突出方向に直角の断面の半円形を略１８０°向きを変えて形成するようにしてもよい。
【００３４】
また、本実施の形態において、回動軸３２は、その突出方向に直角の断面が、半円形に形成されていたが、この半円形の円弧の部分を他の異なる形状に形成するようにしてもよい。例えば、楕円の円弧、曲線、又は、六角形や八角形等のような多角形の一部であって、その角を丸めて形成したもの等であってもよい。このような場合には、溝部３６は、その長さ方向に直角の断面が、回動軸３２の断面に対応するように形成されることはいうまでもない。
【００３５】
また、回動軸３２は、その突出方向に直角の断面の直線が、この直線の両方の端部の中間において連続している必要はなく、例えば、この中間部分に略Ｕ字型の凹部が形成されたり、このような凹部が複数形成されて凹部と直線が交互に断続的に並ぶように形成されたりしてもよい。すなわち、回動軸３２は、その突出方向に直角の断面の直線が、少なくとも、回動時に押さえ板３８ａに押し付けられる両方の端部だけが残るように形成されていればよい。
【００３６】
また、本実施の形態において、押さえ部材３８は、樹脂やゴム等の弾性材質で形成されるようになっていたが、例えば薄い金属板等で形成されるようになっていてもよい。押さえ部材３８に用いる材質として、樹脂、ゴム又は金属等の中から異なるものを用いるようにすれば、同じ変形量を与えるのに必要な荷重が異なるため、操作部材２８の大きさや回動軸３２の直径等に応じて、適切な材質を選択することができる。
【００３７】
また、本実施の形態に係るシーソースイッチ２０は、撮像装置２２以外の他の電子機器等にも設けることができることはいうまでもない。
【図面の簡単な説明】
【００３８】
【図１】本発明の一実施の形態に係るシーソースイッチ２０及び撮像装置２２を示す斜視図である。
【図２】図１に示す操作部材２８を示す拡大斜視図である。
【図３】図１に示すシーソースイッチ２０及び撮像装置２２の拡大背面図である。
【図４】図３に示すシーソースイッチ２０及び筐体片２６のＢ−Ｂ線矢視の拡大断面図である。
【図５】図３に示すシーソースイッチ２０及び筐体片２６のＣ−Ｃ線矢視の拡大断面図である。
【図６】従来のシーソースイッチ２を示す斜視図である。
【図７】図６に示すシーソースイッチ２のＡ−Ａ線矢視の断面図である。
【符号の説明】
【００３９】
２  シーソースイッチ
４  操作部材
６  天板
８  板状ヒンジ
１０  フック
１０ａ  鉤部
１２  操作パネル
１４  リブ
１６  係止孔
１６ａ  段付き部
２０  シーソースイッチ
２２  撮像装置
２４  筐体
２６  筐体片
２８  操作部材
２８ａ  端面
２８ｂ  突起
３０  押下部
３２  回動軸
３４  取付け孔
３６  溝部
３８  押さえ部材
３８ａ  押さえ板
４０  突出部
４０ａ  雌ネジ
４２  突起用孔
４４  固定用孔
４６  切欠き
４８  雄ネジ
【図１】
2005284092.tif 000003
【図２】
2005284092.tif 000004
【図３】
2005284092.tif 000005
【図４】
2005284092.tif 000006
【図５】
2005284092.tif 000007
【図６】
2005284092.tif 000008
【図７】
2005284092.tif 000009